(57)【特許請求の範囲】
【請求項１】
被測定者の肌色を評価するのに用いられる装置であって、撮像対象の色を、緑色系成分と青色系成分と赤色系成分の３成分に分けて数値化し画像情報として出力する撮像カメラと、上記撮像カメラから出力される画像情報を処理するための情報処理手段と、画像表示手段とを備え、上記撮像カメラには、撮像条件に応じて感度を自動調整する機能が設けられており、上記情報処理手段には、青色系成分の画像情報と赤色系成分の画像情報の２つを用いて被測定者の肌色の明度と色相を算出する関係式が予め記憶されており、上記撮像カメラから出力される色の３成分の関する画像情報に基づいて肌画像が画像表示手段の画面上に表示され、上記画像情報のうち、青色系成分の画像情報と赤色系成分の画像情報の２つに基づいて被測定者の肌色の明度と色相が算出され、その結果が画像表示手段の画面上で表示されるようになっていることを特徴とする肌色評価装置。
【請求項２】
被測定者の肌色の明度と色相の算出結果が、縦軸を明度とし横軸を色相とするグラフ図において視覚的に表示されるよう設定されている請求項１記載の肌色評価装置。
【請求項３】
被測定者の肌色の明度と色相の算出結果が、メラニンの程度を示す数値と血色の程度を示す数値に換算され、縦軸をメラニンの程度とし横軸を血色の程度とするグラフ図において視覚的に表示されるよう設定されている請求項１または２記載の肌色評価装置。
【請求項４】
上記情報処理手段に、年代別モニター群の肌色をそれぞれ上記撮像カメラで撮像して得られた年代別基準値が予め記憶されており、上記情報処理手段に被測定者の年代を入力することにより、上記画像表示手段に表示される肌色評価結果が、その被測定者の年代に対応した年代別基準値からの偏りとして視覚的に表示されるようになっている請求項１〜３のいずれか一項に記載の肌色評価装置。
【発明の詳細な説明】
【０００１】
【発明の属する技術分野】
本発明は、化粧品販売員が顧客の肌をカウンセリングする際に用いられる肌色評価装置に関するものである。
【０００２】
【従来の技術】
従来から、化粧品販売では、専門の販売員が、店頭あるいは訪問販売先で、化粧品メーカーから配布された化粧品販売促進用シートに基づいて顧客に化粧品の売り込みを行っている。
【０００３】
【発明が解決しようとする課題】
しかしながら、各メーカーが多種多様の化粧品を販売し、各メーカーがそれぞれ近似した方法で販売促進をしている現状では、化粧品自体の独自性よりも、いかに顧客に信頼され好ましい印象を与えることができるかが顧客の購買力を引き出す大きなポイントとなる。そこで、最近では、例えば、化粧品販売員が、店頭に設置した撮像カメラで顧客の肌を映し、その拡大画像をモニター画面等に表示して顧客の肌のきめや毛穴の状態を観察した上で、肌に対するカウンセリングが行われている。
【０００４】
また、メイクアップ化粧品、特にファンデーションの色を選択する場合、素肌の色を客観的に把握することが重要であることから、同じく化粧品販売員が、店頭に設置した測色装置で顧客の肌の色を測定し、その結果に応じたファンデーション等を推奨したり、メイクアップ方法を指導したりすることも行われている。
【０００５】
ところが、化粧品販売店の店頭に、前記撮像カメラとモニター画面を組み合わせた肌観察装置を設置し、さらに上記測色装置を設置することは、場所をとりすぎて好ましくない。そこで、撮像カメラによる画像情報を利用して、肌の色を測色することが検討されている。すなわち、カラー画像が得られる一般的な撮像カメラでは、通常、撮像画像の色を、緑色系成分（Ｙ）と青色系成分（Ｕ）と赤色系成分（Ｖ）の３成分に分けて数値化し画像情報として出力するようになっているため、この画像情報から、撮像された肌色を特定することができる、と考えられるからである。
【０００６】
しかしながら、最近の撮像カメラには、感度自動調整機能（いわゆる「ＡＧＣ」）が設けられており、撮影された画像が暗い場合には感度を自動的に上げ、逆に明るすぎる場合には感度を自動的に下げて、常に鮮明な画像が得られるようになっているため、明度の指標となる緑色系成分（Ｙ）の画像情報が自動的に変更される。したがって、上記感度自動調整機能付の撮像カメラでは、明度に関する画像情報が正確に得られず、肌色を特定することができないことが判明した。
【０００７】
これに対し、感度自動調整機能を持たない、旧式の撮像カメラか、感度自動調整機能をあえて外した撮像カメラを用いて、肌の撮像と肌色測定を同時に行うことも考えられるが、そのような撮像カメラでは、よほど店内の照明条件、採光条件が良好でない限り、肌の撮像画面が不鮮明となり、肌のきめや毛穴の状態を観察することができず、実用性に乏しい。
【０００８】
本発明は、このような事情に鑑みなされたもので、感度自動調整機能を備えた撮像カメラを用い、鮮明な肌画像を得ることができ、しかも、肌色を客観的に特定することのできる、優れた肌色評価装置の提供をその目的とする。
【０００９】
【課題を解決するための手段】
上記の目的を達成するため、本発明は、被測定者の肌色を評価するのに用いられる装置であって、撮像対象の色を、緑色系成分と青色系成分と赤色系成分の３成分に分けて数値化し画像情報として出力する撮像カメラと、上記撮像カメラから出力される画像情報を処理するための情報処理手段と、画像表示手段とを備え、上記撮像カメラには、撮像条件に応じて感度を自動調整する機能が設けられており、上記情報処理手段には、青色系成分の画像情報と赤色系成分の画像情報の２つを用いて被測定者の肌色の明度と色相を算出する関係式が予め記憶されており、上記撮像カメラから出力される色の３成分の関する画像情報に基づいて肌画像が画像表示手段の画面上に表示され、上記画像情報のうち、青色系成分の画像情報と赤色系成分の画像情報の２つに基づいて被測定者の肌色の明度と色相が算出され、その結果が画像表示手段の画面上で表示されるようになっている肌色評価装置を第１の要旨とする。
【００１０】
また、本発明は、上記肌色評価装置のなかでも、特に、被測定者の肌色の明度と色相の算出結果が、縦軸を明度とし横軸を色相とするグラフ図において視覚的に表示されるよう設定されている肌色評価装置を第２の要旨とし、被測定者の肌色の明度と色相の算出結果が、メラニンの程度を示す数値と血色の程度を示す数値に換算され、縦軸をメラニンの程度とし横軸を血色の程度とするグラフ図において視覚的に表示されるよう設定されている肌色評価装置を第３の要旨とする。
【００１１】
さらに、本発明は、これらの肌色評価装置のなかでも、特に、上記情報処理手段に、年代別モニター群の肌色をそれぞれ上記撮像カメラで撮像して得られた年代別基準値が予め記憶されており、上記情報処理手段に被測定者の年代を入力することにより、上記画像表示手段に表示される肌色評価結果が、その被測定者の年代に対応した年代別基準値からの偏りとして視覚的に表示されるようになっている肌色評価装置を第４の要旨とする。
【００１２】
【発明の実施の形態】
つぎに、本発明の実施の形態を説明する。
【００１３】
図１は、本発明の肌色評価装置の一実施の形態を示している。この装置は、顧客の肌の状態、特に肌色について客観的な評価を与えるために、化粧品販売店の店頭に設置されるもので、肌を撮像するための撮像カメラ１と、上記撮像カメラ１から出力される画像情報を処理するパーソナルコンピュータ（以下「ＰＣ」という）２とを備えている。そして、上記ＰＣ２は、情報処理手段、記憶手段等を内蔵した本体部３と、撮像カメラ１で撮像された肌画像等を表示する液晶カラーモニター４と、キーボード等の入力手段５とで構成されている。なお、上記撮像カメラ１は、所定の載置台（図示せず）上に係合保持されるようになっている。
【００１４】
上記撮像カメラ１は、撮像対象である肌の色を、緑色系成分（Ｙ）と青色系成分（Ｕ）と赤色系成分（Ｖ）の３成分に分けて数値化し画像情報として出力するようになっており、その出力された画像情報は、ＰＣ２の本体部３内で処理され、液晶カラーモニター４の画面４ａにおいて、拡大画像として表示されるようになっている。
【００１５】
ただし、上記Ｙ、Ｕ、Ｖの３つの値は、光の３原色であるＲ（赤色）、Ｇ（緑色）、Ｂ（青色）にそのまま対応するのではなく、以下のような対応関係になっている。
【００１６】
【数１】
0003759904.tif 000002
【００１７】
そして、上記撮像カメラ１には、撮像条件に応じて感度を自動調整する感度自動調整機能が設けられており、すでに述べたように、撮影された画像が暗い場合には感度を自動的に上げ、逆に明るすぎる場合には感度を自動的に下げて、常に鮮明な画像が得られるようになっている。したがって、上記画面４ａに表示される肌画像は、常に適度な明るさとなり、鮮明な画質となる。
【００１８】
一方、ＰＣ２の本体部３は、上記撮像カメラ１から出力される画像情報に基づき、画面４ａにおいて肌画像を表示させる機能とともに、上記画像情報に基づいて、撮像された肌色の明度と色相を客観的な数値として求める機能が設けられている。
【００１９】
より詳しく説明すると、本体部３には、上記撮像カメラ１から出力される画像情報のうち、青色系成分（Ｕ）の画像情報と赤色系成分（Ｖ）の画像情報の２つから肌色の明度を算出するための関係式（１）と、同じく青色系成分（Ｕ）の画像情報と赤色系成分（Ｖ）の画像情報の２つから肌色の色相を算出するための関係式（２）が予め記憶されている。この関係式（１），（２）を以下に示す。
【００２０】
【数２】
0003759904.tif 000003
【００２１】
【数３】
0003759904.tif 000004
【００２２】
上記関係式（１），（２）は、つぎのようにして求めたものである。すなわち、まず、１５〜８０歳の女性パネル１０００人に対し、この装置の撮像カメラ１を用いて肌色を撮像し、画像情報（Ｙ，Ｕ，Ｖの数値）を得た。ただし、上記撮像カメラ１の感度自動調整機能は作動しないよう設定し、明度Ｌの指標となるＹの値が正確に測定できるようにした。そして、ＹとＵ，Ｖとの相関関係を調べ、その関係式を求めることにより、上記式（１）を得た。また、上記女性パネル１０００人の肌の色相（赤味←→黄味）を、測色計（ＣＲ２００、ミノルタ社製）によって測定し、色相ｈの数値を求めた。そして、ｈとＵ，Ｖとの相関関係を調べ、その関係式を求めることにより、上記式（２）を得た。
【００２３】
上記関係式（１），（２）によれば、肌色評価のための重要な因子である明度Ｌと色相ｈを、明度の指標となる緑色系成分（Ｙ）の値を用いることなく、青色系成分（Ｕ）と赤色系成分（Ｖ）の２つの値だけを用いて得ることができるため、撮像カメラ１において、鮮明な画像を得るために感度自動調整機能が作動してＹの値が自動的に変動しても、Ｙの値とは関係なく、正確な明度Ｌと色相ｈの値を得ることができる。
【００２４】
そして、上記関係式（１）、（２）に基づいて得られた上記明度Ｌと色相ｈの値により、図２に示すような、被測定者の肌の色についての評価画面が表示されるようになっている。
【００２５】
この画面の上部には、「肌色」という見出し５０が設けられており、その下に、明度Ｌに基づく指数を縦軸にとり、色相ｈに基づく指数を横軸にとったグラフ図９０が表示されるようになっている。そして、そのグラフ面が、それらの基準値を示すライン９１，９２によって、ａ〜ｄの４つの領域に区分されており、被測定者の測定結果（明度指数と色相指数）の交点に所定のマーク９３が付され、被測定者の肌色が一目でわかるようになっている。
【００２６】
ただし、明度Ｌの値は、前述の関係式（１）において、５４〜７４（中央６４）の値を、０〜１００の値（明度指数）となるよう換算して縦軸の値とする。また、色相ｈの値も、前述の関係式（２）において、４０〜８０（中央６０）の値を、０〜１００の値（色相指数）となるよう換算して横軸の値とする。したがって、撮像カメラ１によって測定されるＵ、Ｖから、上記「明度指数」および「色相指数」を求める関係式（３），（４）は、下記のとおりとなる。
【００２７】
【数４】
0003759904.tif 000005
【００２８】
【数５】
0003759904.tif 000006
【００２９】
そして、上記明度指数および色相指数は、年代によって変化するため、この装置では、被測定者の年代を、下記の表１に示すように、「１０代前半」〜「６０代前半以降」の１０段階に分け、各年代約１０００名のモニターによるデータから求めた年代別基準値を、ＰＣ２の本体部３に予め記憶させておき、被測定者の年代を入力すると、被測定者の年代に対応した年代別基準値が、指数５０の「基準値」として上記グラフ図９０のライン９１，９２で表示され、それに応じて被測定者の明度指数と色相指数とが修正されるようになっている。
【００３０】
【表１】
0003759904.tif 000007
【００３１】
なお、上記被測定者の年代の入力は、図２の画面を開く前の、適宜の画面（図示せず）において、例えば画面上に、上記１０段階に区分した年代区分を表示し、該当する被測定者の年代をクリックすることにより行われる。
【００３２】
また、上記年代別基準値も、その測定時期の環境温度によって左右されることを考慮して、この装置には、この装置が設置された場所の環境温度を常時計測する温度センサが内蔵されている。そして、測定時の環境温度が、その都度、本体部３内のデータ処理部に自動的に入力され、基準値として用いられる年代別基準値が、さらに、環境温度の影響を考慮した値に修正されるようになっている。
【００３３】
なお、図２において、グラフ図９０の右側には、入力された被測定者の年代を示す年代記号（ハートの個数１つ：１０代前半、１つ半：１０代後半、２つ：２０代前半……という記号であり、この図では、被測定者が４０代前半であることを示している）７６と、環境温度を表示する枠７７が設けられている。また、その下には、明度指数と色相指数の数値を表示する枠９４、９５が設けられている。
【００３４】
また、この例では、上記Ｌ値とｈ値にもとづき、被測定者の肌色だけでなく、肌の透明度も評価できるようになっている。すなわち、「肌の透明度」は、上記明度Ｌと相関関係にあるメラニンの程度と、色相ｈと相関関係になる血色の程度によって特定づけられる。この場合、前述の関係式（１）において、５５〜７５（中央６５）となるＬの値を、０〜１００の値（メラニン指数）となるよう換算して縦軸の値とする。また、前述の関係式（２）において、７５〜３５（中央５５）の値を、０〜１００の値（血色指数）となるよう換算して横軸の値とする。したがって、撮像カメラ１によって測定されるＵ、Ｖから、上記「メラニン指数」および「血色指数」を求める関係式（５），（６）は、下記のとおりとなる。
【００３５】
【数６】
0003759904.tif 000008
【００３６】
【数７】
0003759904.tif 000009
【００３７】
そして、上記関係式（５）、（６）に基づいて得られたメラニン指数と血色指数の値により、図３に示すような、被測定者の肌の透明度についての評価画面が表示されるようになっている。
【００３８】
この画面の上部には、「透明感」という見出し５１が設けられており、その下に、メラニン指数を縦軸にとり、血色指数を横軸にとったグラフ図９６が表示されるようになっている。そして、そのグラフ面が、それらの基準値を示すライン９７，９８によって、ａ〜ｄの４つの領域に区分されており、被測定者の測定結果（メラニン指数と血色指数）の交点に所定のマーク９９が付され、被測定者の肌の透明度が一目でわかるようになっている。
【００３９】
なお、上記メラニン指数および血色指数も、年代によって変化するため、上記明度指数と色相指数を処理する場合と同様、被測定者の年代を、下記の表２に示すように、「１０代前半」〜「６０代前半以降」の１０段階に分け、各年代約１０００名のモニターによるデータから求めた年代別基準値を、ＰＣ２の本体部３に予め記憶させておき、被測定者の年代を入力すると、被測定者の年代に対応した年代別基準値が「基準値」として上記グラフ図９６のライン９７，９８で表示されるようになっている。そして、上記年代別基準値が、さらに、前記肌色評価の場合と同様、環境温度の影響を考慮した値に修正されるようになっている。
【００４０】
【表２】
0003759904.tif 000010
【００４１】
なお、図３に示す画面においても、図２に示す画面と同様、グラフ図９６の右側に、入力された被測定者の年代を示す年代記号７６と、環境温度を表示する枠７７が設けられている。また、その下には、メラニン指数と血色指数の数値を表示する枠１００、１０１が設けられている。
【００４２】
したがって、上記装置を店頭に設置しておき、来店した顧客の肌を、撮像カメラ１で撮像するだけで、感度自動調整機能にもとづく鮮明な肌画像を得ることができ、しかも独自の情報処理方法により、顧客の肌色および肌の透明度を、明度に関する画像情報は利用することなく、即座に客観的に評価することができる。したがって、肌画像撮像装置と測色装置の２つをそれぞれ用意する必要がなく、店頭での装置設置スペースが少なくてすむという利点を有する。
【００４３】
しかも、その評価結果は、基準値からどのような偏りになっているかが一目でわかるグラフ図になっているため、いちいち、化粧品販売員等による説明をきかなくても、セルフ操作によっても，即座に顧客自身が理解することができる。そして、上記基準値が、測定時の環境温度によって修正された年代別基準値であることから、自分の年代に応じた適正な評価を得ることができる。
【００４４】
また、化粧品販売員等の側からすれば、上記装置を用いることにより、顧客の鮮明な肌画像と、肌色の測色と、透明度とを、客観的かつ印象的に提示して評価することができるため、顧客に好印象を与えることができる。そして、この装置の操作と評価の提示は、経験の浅い、未熟練の販売員であっても、同様に行うことができるため、社員教育の効率化という点においても利点が大きい。
【００４５】
なお、上記の例において、肌色の明度を算出するための関係式（１）と、肌色の色相を算出するための関係式（２）において、式の各係数は、上記の例で用いた値に限定されるものではなく、データ処理の過程で、多少の変動があっても差し支えない。そして、明度指数を求める関係式（３）、色相指数を求める関係式（４）、メラニン指数を求める関係式（５）、血色指数を求める関係式（６）においても、数値処理の過程で、係数に多少の変動があっても差し支えない。
【００４６】
また、上記の例では、肌色評価のための画面（図２参照）と、肌の透明度評価のための画面（図３参照）において、評価の「基準値」が、被測定者の年代と測定時の環境温度を考慮した値に自動的に修正されるようになっているが、このような修正を加えるか否かは任意である。
【００４７】
さらに、上記の例では、肌色評価と合わせて、肌の透明度を評価しているが、肌の透明度については、必ずしも評価する必要はない。明度と色相についての結果が得られれば足りるからである。
【００４８】
また、上記の例では、図２、図３に示すように、評価結果を、グラフ図９０，９６として表示しているが、これは、顧客が一目でわかるよう配慮したものであり、必ずしも必要ない。例えば、数値表示だけにとどめ、別に、数値範囲と肌色傾向の関係を示す一覧表等を用意しておき、顧客に提示するようにしても差し支えない。
【００４９】
また、上記の例では、各種画像を表示する表示手段として、液晶カラーモニター４を用いているが、必ずしも液晶カラーモニター４を用いる必要はなく、ＣＲＴやＴＶモニター等、各種の画像表示手段を用いることができる。
【００５０】
さらに、上記実施例の装置は、店頭に設置するタイプのものであり、来店した顧客に対し肌色評価を行うようになっているが、鮮明な画像を表示しうる画像表示手段を備えたノート型パーソナルコンピュータと撮像カメラ１とを組み合わせ、上記と同様の機能を具備させ、化粧品等とともにバッグに携帯させることにより、訪問販売員による訪問カウンセリングを行うこともできる。
【００５１】
【発明の効果】
以上のように、本発明によれば、感度自動調整機能を備えた撮像カメラを用いて鮮明な肌画像を得ることができるだけでなく、独自の情報処理方法により、顧客の肌色を、明度に関する画像情報は利用することなく、客観的に評価することができる。したがって、肌画像撮像装置と測色装置の２つをそれぞれ用意する必要がなく、店頭での装置設置スペースが少なくてすむという利点を有する。
【図面の簡単な説明】
【図１】  本発明の一実施例に用いる装置の説明図である。
【図２】  上記装置におけるＰＣ画面の構成の説明図である。
【図３】  上記装置におけるＰＣ画面の構成の説明図である。
【符号の説明】
１  撮像カメラ
２  ＰＣ
３  本体部
４  液晶カラーモニター
４ａ  画面
【図１】
0003759904.tif 000011
【図２】
0003759904.tif 000012
【図３】
0003759904.tif 000013